(57)【要約】【課題】手書き入力情報を精度よく再現することが可能な情報入力表示装置を提供する。【解決手段】画面に手書き入力された情報に基づく画像を表示可能な情報入力表示装置において、２次元に配列され手書き入力にて押下された画面上の位置の座標を検出する複数のエリア入力型の座標検出部と、座標検出部で検出された座標の有効性を判別する座標判別部と、を有し、複数の座標検出部で一度にそれぞれ座標が検出された場合、座標判別部は、検出されたそれぞれの座標の位置関係及び変位態様、またはその何れかに基づいて、それぞれの座標の有効性を判別し、無効と判別した座標を検出した座標検出部の検出領域を検出無効領域とする。【選択図】図２
2009217442.tif 000002
【特許請求の範囲】
【請求項１】
画面に手書き入力された情報に基づく画像を表示可能な情報入力表示装置において、
２次元に配列され手書き入力にて押下された画面上の位置の座標を検出する複数のエリア入力型の座標検出部と、
前記座標検出部で検出された座標の有効性を判別する座標判別部と、を有し、
複数の前記座標検出部で一度にそれぞれ座標が検出された場合、
前記座標判別部は、検出されたそれぞれの座標の位置関係及び変位態様、またはその何れかに基づいて、それぞれの座標の有効性を判別し、無効と判別した座標を検出した前記座標検出部の検出領域を検出無効領域とすることを特徴とする情報入力表示装置。
【請求項２】
複数の前記座標検出部で一度にそれぞれ座標が検出された場合、
前記座標判別部は、検出されたそれぞれの座標の内、前記画面の上端部に最も近い座標を有効と判別し、その他の座標を無効と判別することを特徴とする請求項１に記載の情報入力表示装置。
【請求項３】
複数の前記座標検出部で一度にそれぞれ座標が検出された場合、
前記座標判別部は、それぞれの座標を検出した複数の前記座標検出部の内、隣接する前記座標検出部で検出された座標を無効と判別することを特徴とする請求項１または２に記載の情報入力表示装置。
【請求項４】
複数の前記座標検出部で一度にそれぞれ座標が検出された場合、
前記座標判別部は、検出されたそれぞれの座標の内、それぞれ前回検出された座標と今回検出された座標との変位量が最も大きい座標を有効と判別し、その他の座標を無効と判別することを特徴とする請求項１乃至３の何れか１項に記載の情報入力表示装置。
【請求項５】
前記座標判別部は、
有効と判別した座標を検出した前記座標検出部の検出領域を検出有効領域とし、
有効と判別した座標の前回検出された座標に対する今回検出された座標の変位方向に基づき、前記検出有効領域を移動させることを特徴とする請求項１乃至４の何れか１項に記載の情報入力表示装置。
【請求項６】
前記座標判別部は、
有効と判別した座標を検出した前記座標検出部の検出領域を検出有効領域とし、
無効と判別した座標の前回検出された座標に対する今回検出された座標の変位方向に基づき、前記検出有効領域を移動させることを特徴とする請求項１乃至４の何れか１項に記載の情報入力表示装置。
【請求項７】
前記座標判別部は、複数の前記座標検出部の駆動を制御し、
前記検出有効領域とした座標検出部以外の座標検出部の駆動を停止することを特徴とする請求項５または６に記載の情報入力表示装置。
【発明の詳細な説明】
【技術分野】
【０００１】
本発明は、情報入力表示装置に関し、特に手書き入力が可能な情報入力表示装置に関する。
【背景技術】
【０００２】
近年、タブレットＰＣやＰＤＡ（Ｐｅｒｓｏｎａｌ  Ｄｉｇｉｔａｌ  Ａｓｓｉｓｔａｎｔ）のように、ＧＵＩ画面や文字画面、また白紙の画面等の上にタッチペン等の座標入力デバイスを用いて手書きにより文字やイラスト等の図形の入力が可能な携帯表示端末が種々検討されている。
【０００３】
しかしながら、このような携帯表示端末は、ＧＵＩ画面の上に表示された操作ボタン等をタッチペンや指等で押下することにより、操作ボタンに表示された機能を実行させるタッチ入力モードにおける確度を重視したものが主流であり、文字画面や白紙の画面等の上に手書きにより文字やイラスト等の図形の入力する手書き入力モードにおける確度は充分なものではなかった。
【０００４】
具体的には、図１０を用いて説明する。図１０（ａ）は、従来の携帯表示端末におけるタッチ入力や手書き入力を検出するタッチパネルの構成を示す図、図１０（ｂ）は、従来の携帯表示端末における手書き入力の様子を示す模式図である。
【０００５】
従来の携帯表示端末は、図１０（ａ）、図１０（ｂ）に示すように、ＬＣＤ、有機ＥＬ等の表示部３０１の画面上に、該画面と略同じ形状の入力領域を有するエリア入力型のタッチパネル３０４が１枚配置されている。タッチパネル３０４は、タッチ入力や手書き入力にて押下された画面上の位置に対応するアナログ電圧をタッチパネルコントローラ３０５に出力する。タッチパネルコントローラ３０５は、タッチパネル３０４から出力されたアナログ電圧をデジタル信号に変換し、押下された画面上の位置のＸＹ座標を検出する。
【０００６】
このような構成の携帯表示端末において、図１０（ｂ）に示すように、タッチペン５を用いてタッチ入力や手書き入力を行う際に、タッチペン５のペン先５ａとともに手許Ｈがタッチパネル３０４に当たる場合がある。この為、タッチパネル５は、ペン先５ａと手許Ｈの中間位置に対応するアナログ電圧を出力し、タッチパネルコントローラ３０５は、本来欲しいペン先５ａの座標ではなく、誤った座標を検出することになる。その結果、表示部３０４の画面には、入力したいペン先５ａの軌跡Ｋ１ではなくペン先５ａと手許Ｈの中間位置の軌跡Ｋ２が表示されるという問題がある。
【０００７】
そこで、このような問題に対応する為に、種々の方法が検討されている。例えば、操作者が不用意に触れてしまいがちなタッチパネルの枠周辺部に一定の幅の入力無効領域を設定することで、誤検出を防止する方法が知られている（特許文献１参照）。
【特許文献１】特開２０００−３９９６４号公報
【発明の開示】
【発明が解決しようとする課題】
【０００８】
しかしながら、特許文献１に開示されている方法は、入力無効領域をタッチパネルの周辺部、すなわちタッチパネルを保持するフレームから周囲２ｍｍ程度の幅に固定していることから、誤検出の防止は充分なものではないという問題がある。例えば、画面の中央から上部の領域にかけて入力する場合、手許は画面の下部から中央に当たる場合がある。このような場合、入力無効領域が画面の周縁に設けられていることから、手許により入力された情報が無効とされず誤判別を生じるという問題がある。
【０００９】
本発明は、上記課題を鑑みてなされたもので、手書き入力情報を精度よく再現することが可能な情報入力表示装置を提供することを目的とする。
【課題を解決するための手段】
【００１０】
上記目的は、下記の１乃至７の何れか１項に記載の発明によって達成される。
【００１１】
１．画面に手書き入力された情報に基づく画像を表示可能な情報入力表示装置において、
２次元に配列され手書き入力にて押下された画面上の位置の座標を検出する複数のエリア入力型の座標検出部と、
前記座標検出部で検出された座標の有効性を判別する座標判別部と、を有し、
複数の前記座標検出部で一度にそれぞれ座標が検出された場合、
前記座標判別部は、検出されたそれぞれの座標の位置関係及び変位態様、またはその何れかに基づいて、それぞれの座標の有効性を判別し、無効と判別した座標を検出した前記座標検出部の検出領域を検出無効領域とすることを特徴とする情報入力表示装置。
【００１２】
２．複数の前記座標検出部で一度にそれぞれ座標が検出された場合、
前記座標判別部は、検出されたそれぞれの座標の内、前記画面の上端部に最も近い座標を有効と判別し、その他の座標を無効と判別することを特徴とする前記１に記載の情報入力表示装置。
【００１３】
３．複数の前記座標検出部で一度にそれぞれ座標が検出された場合、
前記座標判別部は、それぞれの座標を検出した複数の前記座標検出部の内、隣接する前記座標検出部で検出された座標を無効と判別することを特徴とする前記１または２に記載の情報入力表示装置。
【００１４】
４．複数の前記座標検出部で一度にそれぞれ座標が検出された場合、
前記座標判別部は、検出されたそれぞれの座標の内、それぞれ前回検出された座標と今回検出された座標との変位量が最も大きい座標を有効と判別し、その他の座標を無効と判別することを特徴とする前記１乃至３の何れか１項に記載の情報入力表示装置。
【００１５】
５．前記座標判別部は、
有効と判別した座標を検出した前記座標検出部の検出領域を検出有効領域とし、
有効と判別した座標の前回検出された座標に対する今回検出された座標の変位方向に基づき、前記検出有効領域を移動させることを特徴とする前記１乃至４の何れか１項に記載の情報入力表示装置。
【００１６】
６．前記座標判別部は、
有効と判別した座標を検出した前記座標検出部の検出領域を検出有効領域とし、
無効と判別した座標の前回検出された座標に対する今回検出された座標の変位方向に基づき、前記検出有効領域を移動させることを特徴とする前記１乃至４の何れか１項に記載の情報入力表示装置。
【００１７】
７．前記座標判別部は、複数の前記座標検出部の駆動を制御し、
前記検出有効領域とした座標検出部以外の座標検出部の駆動を停止することを特徴とする前記５または６に記載の情報入力表示装置。
【発明の効果】
【００１８】
本発明によれば、手書き入力にて押下された画面上の位置の座標を検出するエリア入力型の座標検出部を１つではなく２次元に複数配列する構成とした。そして、複数の座標検出部で一度にそれぞれ座標が検出された場合、座標判別部は、検出されたそれぞれの座標の位置関係及び変位態様、またはその何れかに基づいて、それぞれの座標の有効性を判別し、無効と判別した座標を検出した座標検出部の検出領域を検出無効領域とするようにした。従って、例えば、タッチペンを用いてタッチ入力や手書き入力を行う際に、タッチペンのペン先とともに手許が複数の座標検出部に当たった場合、それぞれの座標検出部でそれぞれ座標を検出することができる。そして検出されたそれぞれの座標の位置関係や変位態様に基づいて、何れの座標が本来検出したいペン先の座標かを判別することができる。これにより、手許の入力による誤検出を防止することができ、本来の手書き入力情報を精度よく再現することが可能となる。
【発明を実施するための最良の形態】
【００１９】
以下図面に基づいて、本発明に係る情報入力表示装置の実施の形態を説明する。尚、本発明を図示の実施の形態に基づいて説明するが、本発明は該実施の形態に限られない。
【００２０】
最初に、本発明の実施形態に係る情報入力表示装置１の外観を図１を用いて説明する。図１は、本発明の実施形態に係る情報入力表示装置１の外観を示す正面図である。
【００２１】
情報入力表示装置１は、図１に示すように、情報入力表示装置本体３、及びタッチペン５等を備えている。
【００２２】
情報入力表示装置本体３の正面には、図１に示すように、ＬＣＤや有機ＥＬ、またはメモリ性を有する所謂電子ペーパと称される表示媒体等から構成される表示部３０１、表示部３０１の上に配置されたタッチパネル３０４、電源スイッチ３１８、及び各種操作・設定を行う十字キー３１９等が設けられている。
【００２３】
情報入力表示装置本体３は、図示しないメモリカードに格納されている文書情報や通信ネットワークを介して外部のサーバ、情報端末等から受信した文書情報等に基づいた画像、及びタッチペン５を用いて情報入力表示装置本体３の表示部３０１の画面に手書き入力された情報に基づく画像等を表示する携帯情報端末である。
【００２４】
次に、情報入力表示装置本体３の要部構成を図２を用いて説明する。図２は、情報入力表示装置本体３の概略構成を示すブロック図である。
【００２５】
図２に示すように、情報入力表示装置本体３は、表示部３０１、表示制御部３０２、ＶＲＡＭ３０３、タッチパネル３０４、タッチパネルコントローラ３０５、ＣＰＵ３１１、ＦｌａｓｈＲＯＭ３１２、ＳＤＲＡＭ３１３、通信部３１４、外部Ｉ／Ｆ３１５、操作部３１７、及び電池３２１等を有する。
【００２６】
表示部３０１は、ＬＣＤや有機ＥＬ、またはメモリ性を有する所謂電子ペーパと称される表示媒体等から構成される。表示部３０１は、図示しないメモリカードに格納されている文書情報や通信ネットワークを介して外部のサーバ、情報端末等から受信した文書情報等に基づいた画像、及びタッチペン５を用いて情報入力表示装置本体３の表示部３０１の画面に手書き入力された情報に基づく画像等を表示する。
【００２７】
表示制御部３０２は、表示部３０１で行われる表示動作を制御する。
【００２８】
ＶＲＡＭ（Ｖｉｄｅｏ  ＲＡＭ）３０３は、表示部３０１の画素数に対応した画像データの記録容量を有し、表示部３０１に再生表示される画像を構成する画像データのバッファメモリである。
【００２９】
タッチパネル３０４は、図３（ａ）、図３（ｂ）に示すように、表示部３０１の前面に、タッチペン５を用いて手書き入力にて押下された表示部３０１の画面上の位置の座標を検出するエリア入力型の複数のタッチセンサＳが２次元に配列されて構成される。タッチパネル３０４は、タッチペン５を用いた手書き入力やＧＵＩのメニュー選択入力によって押下された画面上の位置に対応するアナログ電圧をタッチパネルコントローラ３０５に出力する。タッチパネル３０４の構成としては、例えば、透明な抵抗体を表示部３０１の画面に貼り付けた抵抗膜方式を用いることができる。尚、タッチセンサＳは、本発明における座標検出部に該当するものである。
【００３０】
このように、表示部３０１の前面に、エリア入力型の複数のタッチセンサＳを２次元に配列したタッチパネル３０４を配置することにより、図３（ｂ）に示すように、タッチペン５を用いてタッチ入力や手書き入力を行う際に、タッチペン５のペン先５ａとともに手許Ｈが複数のタッチセンサＳに当たった場合、それぞれのタッチセンサＳでそれぞれ座標を検出することができる。これにより、後述のタッチパネルコントローラ３０５は、検出されたそれぞれの座標の位置関係や変位態様に基づいて、何れの座標が本来検出したいペン先５ａの座標かを判別することができる。図３（ｂ）は、このようにして判別されたペン先５ａの座標の軌跡Ｋ１に基づいた画像が表示部３０１に表示されている様子を示す。
【００３１】
図２に戻って、タッチパネルコントローラ３０５は、タッチセンサＳで行われる座標検出動作を制御する。タッチパネルコントローラ３０５は、所定のサンプリング周期（座標検出周期）でタッチセンサＳのＸ方向、Ｙ方向に電圧を印加することにより、タッチセンサＳから出力される押下された画面上の位置に対応するアナログ電圧をデジタル信号に変換してＸＹ座標に変換する。また、タッチパネルコントローラ３０５は、情報表示入力装置本体３が電力を殆ど消費しないスリープ状態においてもタッチパネル３０４からの入力の有無を監視することができる。
【００３２】
また、タッチパネルコントローラ３０５は、本発明における座標判別部に該当し、複数のタッチセンサＳで一度にそれぞれ座標が検出された場合、検出されたそれぞれの座標の位置関係や変位態様等に基づいて、それぞれの座標の有効性を判別し、無効と判別した座標を検出したタッチセンサＳの検出領域を検出無効領域とする。また、無効と判別した座標を検出したタッチセンサＳの駆動を停止することもできる。尚、タッチパネルコントローラ３０５で行われる座標判別動作の詳細は後述する。
【００３３】
ＣＰＵ（中央演算処理装置）３１１は、タッチパネルコントローラ３０５や操作部３１７からの信号を受けて、表示動作や画像信号処理、及び図示しない外部のサーバ、情報端末等との間で行われる情報の送受信動作を統括的に制御する。また、ＣＰＵ３１１は、図示しないメモリカードに格納されている文書情報や外部のサーバ、情報端末等から受信した文書情報等に基づいた画像データ、及びタッチペン５を用いて表示部２１の画面に手書き入力された情報に基づく画像データ等を生成し表示制御部３０２を介して表示部３０１に出力する。
【００３４】
ＦｌａｓｈＲＯＭ（Ｆｌａｓｈ  Ｒｅａｄ  Ｏｎｌｙ  Ｍｅｍｏｒｙ）３１２は、ＣＰＵ３１１で実行される各種制御プログラム等を格納する。
【００３５】
ＳＤＲＡＭ（Ｓｙｎｃｈｒｏｎｏｕｓ  Ｄｙｎａｍｉｃ  Ｒａｎｄｏｍ  Ａｃｃｅｓｓ  Ｍｅｍｏｒｙ）３１３は、演算処理や制御処理等の作業データを一時的に格納する。
【００３６】
通信部３１４は、図示しない外部のサーバ、情報端末等との間で情報を無線で送受信する。通信部３１４の無線通信手段としては、ＢｌｕｅｔｏｏｔｈやワイヤレスＵＳＢ、また、赤外線等を用いた低消費電力型のデバイスが好適である。
【００３７】
外部Ｉ／Ｆ３１５は、例えば、ＳＤメモリカード等の外部メモリとのインターフェースである。
【００３８】
操作部３１７は、電源スイッチ３１８や各種操作・設定を行う十字キー３１９等を備えたスイッチ群である。
【００３９】
電池３２１は、情報入力表示装置本体３の駆動用電源である。
【００４０】
尚、図２中、破線で示す矢印は、ＣＰＵ３１１がスリープ状態の時に、タッチパネル３０４によりタッチパネルコントローラ３０５、または操作部３１７を介して起こされる制御経路を示す。
【００４１】
ここで、座標の有効性判別方法を図４乃至図９を用いて説明する。
【００４２】
（判別方法１）
図４は、座標の有効性判別方法の一例を説明する模式図、図７は、座標の有効性判別方法の一例による流れを示すフローチャートである。判別方法１は、複数のタッチセンサＳで一度にそれぞれ座標が検出された場合、検出された座標の位置関係に基づいて、それぞれの座標の有効性を判別するものである。例えば、図４（ａ）に示すように、タッチペン５を用いてタッチ入力や手書き入力を行う際に、タッチペン５のペン先とともに手許がそれぞれタッチセンサＳ１、タッチセンサＳ２に当たった場合、タッチセンサＳ１、タッチセンサＳ２で検出された座標の位置関係に基づいて、それぞれの座標の有効性を判別し、何れの座標が本来検出したいペン先の座標かを判別するものである。
【００４３】
以下、図４、図７を用いて判別方法１の流れを説明する。
【００４４】
最初に、タッチペン５を用いてタッチ入力や手書き入力を行う際に、ペン先とともに手許がタッチパネル３０４に当る（ステップＳ１１）。タッチパネル３０４のタッチセンサＳ１、タッチセンサＳ２は、それぞれペン先または手許により押下された位置の座標Ｐ１、座標Ｐ２を検出する（ステップＳ１２）。
【００４５】
次に、タッチパネルコントローラ３０５は、タッチセンサＳ１、タッチセンサＳ２でそれぞれ検出された座標Ｐ１、座標Ｐ２をタッチパネル３０４の基準座標Ｐ０に対する座標に変換し（ステップＳ１３）、画面の最も上端部、すなわち、Ｘ軸に近い座標を検出する（ステップＳ１４）。
【００４６】
次に、タッチパネルコントローラ３０５は、通常の手書き入力状態においては、手許よりもペン先の方が画面の上端部に近いことから、画面の上端部に近い座標Ｐ１をペン先の座標、座標Ｐ２を手許の座標と判別する（ステップＳ１５）。
【００４７】
次に、タッチパネルコントローラ３０５は、無効と判別した座標Ｐ２を検出したタッチセンサＳ２の検出領域を検出無効領域とする。または、無効と判別した座標Ｐ２を検出したタッチセンサＳ２の駆動を停止する（ステップＳ１６）。ここで、検出無効領域としたタッチセンサＳ２の駆動を停止することにより、誤検出をさらに高い確度で防止できるとともに、タッチセンサＳ２の座標検出動作に係わる消費電力を削減することができる。
【００４８】
次に、タッチパネルコントローラ３０５は、有効と判別した座標Ｐ１の座標データをＣＰＵ３１１に送出する（ステップＳ１７）。ＣＰＵ３１１は、受信した座標Ｐ１の座標データに基づいた画像データを生成し、表示制御部３０２を介して表示部３０１に出力して表示させる（ステップＳ１８）。
【００４９】
（判別方法２）
図５は、座標の有効性判別方法の別例を説明する模式図、図８は、座標の有効性判別方法の別例による流れを示すフローチャートである。判別方法２は、複数のタッチセンサＳで一度にそれぞれ座標が検出された場合、それぞれの座標を検出したタッチセンサＳの相対位置関係に基づいて、それぞれの座標の有効性を判別するものである。例えば、図５（ａ）に示すように、タッチペン５を用いてタッチ入力や手書き入力を行う際に、タッチペン５のペン先とともに手許がそれぞれタッチセンサＳ１、タッチセンサＳ２１及びタッチセンサ２２に当たった場合、タッチセンサＳ１、タッチセンサＳ２１及びタッチセンサＳ２２の相対位置関係に基づいて、それぞれのタッチセンサＳで検出された座標の有効性を判別し、何れの座標が本来検出したいペン先の座標かを判別するものである。
【００５０】
以下、図５、図８を用いて判別方法１の流れを説明する。尚、図８に示すフローチャートにおいて、ステップＳ２１乃至ステップＳ２３、及びステップＳ２６乃至ステップＳ２８の動作は、判別方法１の場合の図７に示したステップＳ１１乃至ステップＳ１３、及びステップＳ１６乃至ステップＳ１８の動作と同様なのでその説明は省略する。
【００５１】
ステップＳ２４において、タッチパネルコントローラ３０５は、ペン先または手許により押下された位置の座標Ｐ１、座標Ｐ２１及び座標Ｐ２２をそれぞれ検出したタッチセンサＳ１、タッチセンサＳ２１及びタッチセンサＳ２２の内、隣接しているタッチセンサＳを検出する（ステップＳ２４）。
【００５２】
次に、タッチパネルコントローラ３０５は、手許が当たるタッチセンサＳは、互いに隣接している可能性が高いことから、隣接しているタッチセンサＳ２１及びタッチセンサＳ２２でそれぞれ検出された座標Ｐ２１及び座標Ｐ２２を手許の座標とし無効と判別する（ステップＳ２５）。
【００５３】
（判別方法３）
図６は、座標の有効性判別方法の別例を説明する模式図、図９は、座標の有効性判別方法の別例による流れを示すフローチャートである。判別方法３は、複数のタッチセンサＳで一度にそれぞれ座標が検出された場合、検出された座標の変位態様に基づいて、それぞれの座標の有効性を判別するものである。例えば、図６（ａ）に示すように、タッチペン５を用いてタッチ入力や手書き入力を行う際に、タッチペン５のペン先とともに手許がそれぞれタッチセンサＳ１１、タッチセンサＳ２に当たった場合、タッチセンサＳ１１、タッチセンサＳ２で検出された座標の変位態様、すなわち、タッチセンサＳ１１、タッチセンサＳ２でそれぞれ前回検出された座標と今回検出された座標との変位量に基づいて、それぞれの座標の有効性を判別し、何れの座標が本来検出したいペン先の座標かを判別するものである。
【００５４】
以下、図６、図９を用いて判別方法２の流れを説明する。尚、図９に示すフローチャートにおいて、ステップＳ３１乃至ステップＳ３２、及びステップＳ３６乃至ステップＳ３８の動作は、判別方法１の場合の図７に示したステップＳ１１乃至ステップＳ１２、及びステップＳ１６乃至ステップＳ１８の動作と同様なのでその説明は省略する。
【００５５】
ステップＳ３３において、タッチパネルコントローラ３０５は、タッチパネル３０４のタッチセンサＳ１１、タッチセンサＳ２でそれぞれ前回検出された座標Ｐ１１、座標Ｐ２１と今回検出された座標Ｐ１２、座標Ｐ２２とのそれぞれの変位量Ｌ１、変位量Ｌ２を算出し（ステップＳ３３）、算出した変位量Ｌ１と変位量Ｌ２を比較する（ステップＳ３４）。
【００５６】
次に、タッチパネルコントローラ３０５は、変位量の小さい座標が手許の座標である可能性が高いことから、小さい変位量Ｌ２の座標Ｐ２２を無効と判別する（ステップＳ３５）。
【００５７】
尚、ステップＳ３８に続いて、手許の座標と判別した座標Ｐ２２、またはペン先の座標と判別した座標Ｐ１２の変位態様、すなわち変位方向に基づいて、ペン先の座標Ｐ１２の今後の変位方向を予測し、検出有効領域を移動させるようにしてもよい。例えば、図６（ｂ）に示すように、ペン先座標Ｐ１２、または手許座標Ｐ２２の変位方向が紙面の右下方向であれば、検出有効領域をタッチセンサＳ１１から右に隣接するタッチセンサＳ１２に移動させ、タッチセンサＳ１２以外のタッチセンサＳの駆動を停止する。これにより、誤検出をさらに高い確度で防止することができるとともに消費電力を大きく削減することができる。
【００５８】
このように、本発明に係わる情報入力表示装置１においては、手書き入力にて押下された画面上の位置の座標を検出するエリア入力型のタッチセンサＳを１つではなく２次元に複数配列する構成とした。そして、複数のタッチセンサＳで一度にそれぞれ座標が検出された場合、タッチパネルコントローラ３０５は、検出されたそれぞれの座標の位置関係や変位態様に基づいて、それぞれの座標の有効性を判別し、無効と判別した座標を検出したタッチセンサＳの検出領域を検出無効領域とするようにした。従って、例えば、タッチペン５を用いてタッチ入力や手書き入力を行う際に、タッチペン５のペン先５ａとともに手許Ｈが複数のタッチセンサＳに当たった場合、それぞれのタッチセンサＳでそれぞれ座標を検出することができる。そして検出されたそれぞれの座標の位置関係や変位態様に基づいて、何れの座標が本来検出したいペン先５ａの座標かを判別することができる。これにより、手許の入力による誤検出を防止することができ、本来の手書き入力情報を精度よく再現することが可能となる。
【００５９】
以上、本発明を実施の形態を参照して説明してきたが、本発明は前述の実施の形態に限定して解釈されるべきでなく、適宜変更、改良が可能であることは勿論である。例えば、前述の実施の形態においては、判別方法１乃至３を独立して実行するようにしたが、これらの方法を適宜組み合わせて実行するようにしてもよい。これにより、誤検出をさらに高い確度で防止することができ、手書き入力情報をより精度よく再現することができる。
【図面の簡単な説明】
【００６０】
【図１】本発明の実施形態に係る情報入力表示装置の外観を示す正面図である。
【図２】情報入力表示装置本体の概略構成を示すブロック図である。
【図３】タッチパネルの構成を示す図である。
【図４】検出座標の有効性判別方法の一例を説明する模式図である。
【図５】検出座標の有効性判別方法の別例を説明する模式図である。
【図６】検出座標の有効性判別方法の別例を説明する模式図である。
【図７】検出座標の有効性判別方法の一例による流れを示すフローチャートである。
【図８】検出座標の有効性判別方法の別例による流れを示すフローチャートである。
【図９】検出座標の有効性判別方法の別例による流れを示すフローチャートである。
【図１０】従来のタッチパネルの構成を示す図である。
【符号の説明】
【００６１】
１  情報入力表示装置
３  情報入力表示装置本体
３０１  表示部
３０２  表示制御部
３０３  ＶＲＡＭ
３０４  タッチパネル
３０５  タッチパネルコントローラ
３１１  ＣＰＵ
３１２  ＦｌａｓｈＲＯＭ
３１３  ＳＤＲＡＭ
３１４  通信部
３１５  外部Ｉ／Ｆ
３１７  操作部
３１８  電源スイッチ
３１９  十字キー
３２１  電池
５  タッチペン
Ｈ  手許
Ｓ  タッチセンサ
Ｐ  座標
【図１】
2009217442.tif 000003
【図２】
2009217442.tif 000004
【図３】
2009217442.tif 000005
【図４】
2009217442.tif 000006
【図５】
2009217442.tif 000007
【図６】
2009217442.tif 000008
【図７】
2009217442.tif 000009
【図８】
2009217442.tif 000010
【図９】
2009217442.tif 000011
【図１０】
2009217442.tif 000012